(57)【要約】      （修正有）【課題】蓄電池用コネクタの剛性を犠牲にすることなく、蓄電池用コネクタの肉厚の薄肉化を図る。【解決手段】一端に配線基板１４の電極部１４Ｐに接続される端子部、及び、他端に蓄電池１２の端子に接続される接点部１８Ｃを有するとともに、端子部と接点部とを連結する連結部を有するコンタクト端子１８ａｉと、コンタクト端子の連結部をそれぞれ収容する複数の収容部と、隣接する収容部相互間を仕切る複数の仕切壁２０ｗを互いに連結する連結壁２０ＷＢとを備えて構成される。連結壁２０ＷＢはコンタクト端子の連結部が開口端部を通じて収容部に挿入され収容されるときコンタクト端子の接点部の外周面との間に隙間を形成する溝部を有するものであることが好ましく、このとき、コンタクト端子の接点部は端子部に近接するように連結壁２０ＷＢにより押圧されるものが好ましい。【選択図】図１
2005183095.tif 000002
【特許請求の範囲】
【請求項１】
一端に配線基板の電極部に電気的に接続される端子部、および、他端に蓄電池の端子に電気的に接続される接点部を有するとともに、該端子部と該接点部とを連結する連結部を有するコンタクト端子と、
前記コンタクト端子の連結部をそれぞれ収容する複数の収容部と、
隣接する前記収容部相互間を仕切る複数の仕切壁を互いに連結する連結壁と、
を具備して構成される蓄電池用コネクタ。
【請求項２】
前記連結壁は、前記コンタクト端子の連結部が前記収容部の開口端部を通じて前記収容部に挿入され収容されるとき、該コンタクト端子の接点部の外周面との間に隙間を形成する溝部を有することを特徴とする請求項１記載の蓄電池用コネクタ。
【請求項３】
前記コンタクト端子の連結部が前記開口端部を通じて前記収容部に挿入され収容されるとき、該コンタクト端子の接点部は、前記端子部に近接するように前記連結壁により押圧されることを特徴とする請求項２記載の蓄電池用コネクタ。
【請求項４】
前記収容部および連結壁は、樹脂材料により一体に形成されることを特徴とする請求項２記載の蓄電池用コネクタ。
【請求項５】
前記コンタクト端子の連結部は、弾性を有する湾曲状に形成されることを特徴とする請求項１記載の蓄電池用コネクタ。
【発明の詳細な説明】
【技術分野】
【０００１】
本発明は、蓄電池の電極部と電子機器内に備えられる配線基板の端子部とを電気的に接続することができる蓄電池用コネクタに関する。
【背景技術】
【０００２】
携帯電話等の電子機器においては、その筐体に対し着脱可能とされる蓄電池を蓄電池収容部に内蔵している。その蓄電池収容部には、蓄電池の端子部と筐体に配される配線基板の端子部とを電気的に接続する蓄電池用コネクタが設けられている。
【０００３】
蓄電池用コネクタは、例えば、特許文献１または図８にも示されるように、一端に配線基板の電極部に電気的に接続される端子部２Ｂとともに他端に蓄電池の端子部に電気的に接続される接点部２Ａとをそれぞれ有する複数のコンタクト端子２と、複数のコンタクト端子２をそれぞれ並列に支持し収容する収容部４ａを有する支持体４とから構成されている。
【０００４】
樹脂材料で成形されている支持体４の収容部４ａは、上方および前方に対して開口する溝を形成している。その溝における前方側の底部には、コンタクト端子２の接点部２Ａと端子部２Ｂとの間の中間部分を固定する固定部が形成されている。
隣接する収容部４ａ相互間は、仕切壁４Ｗにより仕切られている。
【０００５】
コンタクト端子２の接点部２Ａは、弾性を有し支持体４の収容部４ａから開口を通じて上方に湾曲して突出しており、また、コンタクト端子２の端子部２Ｂは、収容部４ａから開口端部を通じて屈曲して前方に向けて突出している。
【０００６】
【特許文献１】特開平９−３５７９７号公報
【発明の開示】
【発明が解決しようとする課題】
【０００７】
蓄電池用コネクタの外形寸法は、電子機器の小型化の要請または比較的小なる蓄電池収容部を備える電子機器に応じてより小さい寸法が要求される場合がある。このような場合、支持体４の肉厚の薄肉化が図られる場合がある。
【０００８】
しかし、支持体４の肉厚の薄肉化が図られる場合、支持体４の各収容部４ａは、溝形状であり、かつ、支持体４の固定部が開口端部近傍に設けられる構成なのでその支持体４の剛性が犠牲となる虞がある。
【０００９】
以上の問題点を考慮し、本発明は、蓄電池の電極部と電子機器内に備えられる配線基板の端子部とを電気的に接続することができる蓄電池用コネクタであって、蓄電池用コネクタの剛性を犠牲にすることなく、蓄電池用コネクタの肉厚の薄肉化を図ることができる蓄電池用コネクタを提供することを目的とする。
【課題を解決するための手段】
【００１０】
上述の目的を達成するために本発明に係る蓄電池用コネクタは、一端に配線基板の電極部に電気的に接続される端子部、および、他端に蓄電池の端子に電気的に接続される接点部を有するとともに、端子部と接点部とを連結する連結部を有するコンタクト端子と、コンタクト端子の連結部をそれぞれ収容する複数の収容部と、隣接する収容部相互間を仕切る複数の仕切壁を互いに連結する連結壁とを備えて構成される。
【００１１】
また、本発明に係る蓄電池用コネクタは、連結壁は、コンタクト端子の連結部が開口端部を通じて収容部に挿入され収容されるとき、コンタクト端子の接点部の外周面との間に隙間を形成する溝部を有するものであってもよい。
【００１２】
さらに、コンタクト端子の連結部が開口端部を通じて収容部に挿入され収容されるとき、コンタクト端子の接点部は、端子部に近接するように連結壁により押圧されるものであってもよい。
【００１３】
収容部および連結壁は、樹脂材料により一体に形成されるものでもよく、コンタクト端子の連結部は、弾性を有する湾曲状に形成されるものでもよい。
【発明の効果】
【００１４】
以上の説明から明らかなように、本発明に係る蓄電池用コネクタによれば、連結壁が隣接する収容部相互間を仕切る複数の仕切壁を互いに連結するので蓄電池用コネクタの剛性を犠牲にすることなく、蓄電池用コネクタの肉厚の薄肉化を図ることができる。
【発明を実施するための最良の形態】
【００１５】
図１は、本発明に係る蓄電池用コネクタの一例を、それが電気的に接続する配線基板、および蓄電池とともに概略的に示す。
【００１６】
図１において、蓄電池１２は、例えば、携帯端末機の筐体における蓄電池収容部に着脱可能に配されている。蓄電池１２は、後述する蓄電池用コネクタのコンタクト端子の接点部にそれぞれ接続される複数の電極部をコンタクト端子の配列に対応して蓄電池用コネクタに対向する面に有している。
【００１７】
蓄電池収容部の底部には、蓄電池用コネクタのコンタクト端子群が露出する開口部１０が形成されている。
【００１８】
蓄電池用コネクタ１６は、筐体における蓄電池収容部の下方に設けられる配線基板１４上に設けられている。配線基板１４は、後述するコンタクト端子の端子部がそれぞれ半田付け固定される電極部１４Ｐを複数有している。各電極部１４Ｐは、所定の導電体を介して所定の電子回路の電源ラインに電気的に接続されている。
【００１９】
蓄電池用コネクタ１６は、コンタクト端子群を形成する４個のコンタクト端子１８ａｉ（ｉ＝１〜４）と、各コンタクト端子１８ａｉをそれぞれ個別に収容する収容部としてのコンタクト端子ハウジング２０とを含んで構成されている。
【００２０】
例えば、銅合金で薄板状に作られるコンタクト端子１８ａｉは、図３に示されるように、配線基板１４の電極部１４Ｐに半田付け固定される端子部１８Ｔと、蓄電池１２の電極部に接触し電気的に接続される接点部１８Ｃと、端子部１８Ｔと接点部１８Ｃとを連結する連結部としての固定部１８Ｆおよび湾曲部１８Ｗとを含んで構成されている。
【００２１】
山形に形成されている接点部１８Ｃは、図４に示されるように、その頂部に蓄電池１２の電極部に接触する円弧状の接触面部１８Ｓを所定長さだけ有している。その接触面部１８Ｓは、他の部分に対して所定の高さだけ隆起している。また、その接触面部１８Ｓの幅は、接点部１８Ｃの幅よりも所定長さだけ小となるように設定されている。
【００２２】
接点部１８Ｃの一端に連なる湾曲部１８Ｗは、図１に二点鎖線で示されるように接触面部１８Ｓがコンタクト端子ハウジング２０内に没入され、あるいは、コンタクト端子ハウジング２０の開口部２０ｔから外部に突出するように弾性を有している。
【００２３】
湾曲部１８Ｗの一端に連なる固定部１８Ｆは、接点部１８Ｃ、端子部１８Ｔおよび湾曲部１８Ｗの幅よりも大なる幅を有している。固定部１８Ｆは、後述するコンタクト端子ハウジング２０内の溝部に圧入される。端子部１８Ｔは、その先端が所定の段差のある配線基板１４の電極部１４Ｐに接触し得るように屈曲されている。
【００２４】
例えば、液晶ポリマーで作られるコンタクト端子ハウジング２０は、各コンタクト端子１８ａｉをそれぞれ収容する小部屋２０Ａ，２０Ｂ，２０Ｃ，および２０Ｄを有している。仕切壁２０Ｗにより仕切られる各小部屋２０Ａ〜２０Ｄは、互いに同一の構造を有しているので小部屋２０Ｄについて説明し他の小部屋２０Ａ〜２０Ｃについての説明を省略する。
【００２５】
小部屋２０Ｄは、図５（Ａ）に示されるように、仕切壁２０Ｗ、左側壁２０ＬＷ、背面壁２０ＷＡ、底面壁２０ＷＤ、後述する連結壁２０ＷＢにより囲まれて形成されている。
なお、小部屋２０Ａは、仕切壁２０Ｗ、右側壁２０ＲＷ、背面壁２０ＷＡ、底面壁２０ＷＤ，連結壁２０ＷＢにより囲まれて形成され、小部屋２０Ｂ〜２０Ｃは、仕切壁２０Ｗ、背面壁２０ＷＡ、底面壁２０ＷＤ，連結壁２０ＷＢにより囲まれて形成されている。
【００２６】
小部屋２０Ｄは、背面壁２０ＷＡに相対向して開口端部２０ｅを有している。  
また、小部屋２０Ｄは、底面壁２０ＷＤに相対向した連結壁２０ＷＢに開口部２０ｔを有している。
【００２７】
コンタクト端子１８ａｉの挿入口としての開口端部２０ｅの周縁の上部には、仕切壁２０Ｗと左側壁２０ＬＷとを連結する連結壁２０ＷＢが全体に広がって形成されている。従って、コンタクト端子ハウジング２０の剛性が向上することとなる。
【００２８】
連結壁２０ＷＢの前方端部は、図５（Ａ）に示されるように、端面に対し所定の角度で傾斜する斜面２０ｗｓを有している。また、連結壁２０ＷＢにおける開口端部２０ｅ近傍部分は、底面壁２０ＷＤに相対向して接触面部１８Ｓの幅および高さよりも若干大きい幅、深さを有する溝部２０ｗｇを有している。
【００２９】
底面壁２０ＷＤと仕切壁２０Ｗおよび左側壁２０ＬＷとが交叉する部分には、コンタクト端子１８ａｉの固定部１８Ｆの両側端が、それぞれ、図５（Ａ）において矢印の示す方向、即ち、前方側から圧入される溝部２０ｇが所定長さ形成されている。
【００３０】
このような構成において、各コンタクト端子１８ａｉをそれぞれ各小部屋２０Ａ〜２０Ｃに装着するにあたっては、先ず、図５（Ａ）に示されるように、コンタクト端子１８ａｉの固定部１８Ｆの両端が溝部２０ｗｇにそれぞれ位置合わせされ、かつ、湾曲部１８Ｗが収容部２０Ａ〜２０Ｄ内に開口端部２０ｅを通じて矢印の示す方向に挿入される。
【００３１】
次に、図５（Ｂ）および図６に示されるように、コンタクト端子１８ａｉの固定部１８Ｆの両端が溝部２０ｗｇにさらに圧入されることにより、接点部１８Ｃが斜面２０ｗｓにより湾曲部１８Ｗの弾性力に抗して下方に向けて押圧され押し下げられることとなる。
【００３２】
その際、接点部１８Ｃの接触面部１８Ｓは、溝部２０ｗｇの底部と干渉することなく所定の隙間をもって通過するので接触面部１８Ｓが連結壁２０ＷＢの端部に接触し、連結壁２０ＷＢの削れ粉が接触面部１８Ｓに付着する虞がない。
【００３３】
続いて、図５（Ｃ）および図７に示されるように、コンタクト端子１８ａｉの固定部１８Ｆの両端が溝部２０ｗｇにさらに圧入されることにより、接点部１８Ｃが開口部２０ｔを介して外部に向けて突出することとなる。その結果、各コンタクト端子１８ａｉの各小部屋２０Ａ〜２０Ｃへの装着が完了することとなる。
【００３４】
従って、組立冶具等を必要とすることなく、各コンタクト端子１８ａｉの各小部屋２０Ａ〜２０Ｃへの装着作業が容易に行なわれることとなる。
【００３５】
上述のように組み立てられた蓄電池用コネクタ１６は、その各端子部１８Ｔがそれぞれ配線基板１４の電極部１４Ｐに半田付け固定された後、筐体における蓄電池収容部の開口部１０内に配される。そして、図４に示されるように、蓄電池１２が蓄電池収容部が装着されることにより、蓄電池用コネクタ１６のコンタクト端子１８ａｉ群が蓄電池１２の電極部に対し電気的に接続されることとなる。
【図面の簡単な説明】
【００３６】
【図１】本発明に係る蓄電池用コネクタの一例の外観を、それが用いられる配線基板および蓄電池とともに概略的に示す斜視図である。
【図２】図１に示される例における開口端部側を示す斜視図である。
【図３】図１に示される例に用いられるコンタクト端子の外観を示す斜視図である。
【図４】図１に示される例において組み立てられた状態の説明に供される断面図である。
【図５】（Ａ），（Ｂ）、および（Ｃ）は、それぞれ、図１に示される例における組立ての工程の説明に供される断面図である。
【図６】図５の（Ｂ）に示される状態における正面図である。
【図７】図５の（Ｃ）に示される状態における正面図である。
【図８】従来の蓄電池用コネクタの外観を示す斜視図である。
【符号の説明】
【００３７】
１２    蓄電池
１４    配線基板
１６    蓄電池用コネクタ
１８ａｉ    コンタクト端子
１８Ｃ    接点部
１８Ｔ    端子部
１８Ｓ    接触面部
２０    コンタクト端子ハウジング
２０Ｗ    仕切壁
２０ＷＢ    連結壁
２０ｗｇ    溝部
【図１】
2005183095.tif 000003
【図２】
2005183095.tif 000004
【図３】
2005183095.tif 000005
【図４】
2005183095.tif 000006
【図５】
2005183095.tif 000007
【図６】
2005183095.tif 000008
【図７】
2005183095.tif 000009
【図８】
2005183095.tif 000010